(57)【特許請求の範囲】
【請求項１】
燃焼室を有するエンジンと、該燃焼室に連通され該燃焼室から排出される排出ガスにより回転するタービン、該タービンと一体的に回転し吸入空気を加圧して該燃焼室に送出するコンプレッサ、および、該タービンの排出ガス流路に設けられ該排出ガスの流路面積を変化させる可変ノズルを有する過給機と、を含むエンジンシステムの制御装置であって、
前記エンジンシステムが搭載される車両の運転状態を特定する運転状態特定部と、
前記エンジンの運転状態を示すパラメータを所定値と比較してサージ音の発生条件となる第１サージ条件を満たすか否か判定するとともに、特定された前記車両の運転状態に基づいて該所定値を変化させる第１サージ判定部と、
前記コンプレッサを通過する吸入空気の流量と、該コンプレッサの入口と出口の圧力比とに基づいて、サージ音の発生条件となる第２サージ条件を満たすか否か判定する第２サージ判定部と、
前記第１サージ条件および前記第２サージ条件を満たすと、前記車両の運転状態および前記エンジンの運転状態に基づいて、前記可変ノズルの開度を開方向に制御する可変ノズル制御部と、
を備えることを特徴とするエンジンシステムの制御装置。
【請求項２】
燃焼室を有するエンジンと、該燃焼室に連通され該燃焼室から排出される排出ガスにより回転するタービン、該タービンと一体的に回転し吸入空気を加圧して該燃焼室に送出するコンプレッサ、および、該タービンの排出ガス流路に設けられ該排出ガスの流路面積を変化させる可変ノズルを有する過給機と、を含むエンジンシステムの制御装置であって、
前記エンジンシステムが搭載される車両の、少なくとも、シフトチェンジ状態と、コースト状態とを含む運転状態を特定する運転状態特定部と、
特定された前記車両の運転状態と前記エンジンの運転状態とに基づいて、サージ音の発生条件となる第１サージ条件を満たすか否か判定する第１サージ判定部と、
前記コンプレッサを通過する吸入空気の流量と、該コンプレッサの入口と出口の圧力比とに基づいて、サージ音の発生条件となる第２サージ条件を満たすか否か判定する第２サージ判定部と、
前記第１サージ条件および前記第２サージ条件を満たすと、前記車両の運転状態および前記エンジンの運転状態に基づいて、前記可変ノズルの開度を開方向に制御する可変ノズル制御部と、
を備えることを特徴とするエンジンシステムの制御装置。
【請求項３】
前記車両の運転状態は、さらに、前記エンジンの空ぶかし状態を含むことを特徴とする請求項２に記載のエンジンシステムの制御装置。
【請求項４】
燃焼室を有するエンジンと、該燃焼室に連通され該燃焼室から排出される排出ガスにより回転するタービン、該タービンと一体的に回転し吸入空気を加圧して該燃焼室に送出するコンプレッサ、および、該タービンの排出ガス流路に設けられ該排出ガスの流路面積を変化させる可変ノズルを有する過給機と、を含むエンジンシステムの制御装置であって、
前記エンジンシステムが搭載される車両の運転状態を特定する運転状態特定部と、
特定された前記車両の運転状態と前記エンジンの運転状態とに基づいて、サージ音の発生条件となる第１サージ条件を満たすか否か判定する第１サージ判定部と、
前記コンプレッサを通過する吸入空気の流量と、該コンプレッサの入口と出口の圧力比とに基づいて、サージ音の発生条件となる第２サージ条件を満たすか否か判定する第２サージ判定部と、
前記第１サージ条件および前記第２サージ条件を満たすと、前記車両の運転状態および前記エンジンの運転状態に基づいて、前記可変ノズルの開度を開方向に制御し、該第１サージ条件および該第２サージ条件を満たした後、該第１サージ条件および該第２サージ条件を満たさなくなると、満たさなくなった直後の所定時間において、該第１サージ条件および該第２サージ条件を満たすか否かの判定を行わない可変ノズル制御部と、
を備えることを特徴とするエンジンシステムの制御装置。
【請求項５】
前記第１サージ判定部は、前記エンジンの運転状態を示すパラメータを所定値と比較して前記第１サージ条件を満たすか否か判定するとともに、前記車両の運転状態に基づいて前記所定値を変化させることを特徴とする請求項２または４に記載のエンジンシステムの制御装置。
【請求項６】
前記エンジンの運転状態を示すパラメータは、前記燃焼室に連通されたインテークマニホールドの圧力、および、該燃焼室に燃料を噴射するインジェクタの燃料噴射量変化率を含み、
前記第１サージ判定部は、前記インテークマニホールドの圧力が所定の圧力以上であり、かつ、前記インジェクタの燃料噴射量変化率が所定の変化率以上の場合に前記第１サージ条件を満たすと判定することを特徴とする請求項１から５のいずれか１項に記載のエンジンシステムの制御装置。
【請求項７】
前記所定の圧力を、前記エンジンの回転数によって変化させることを特徴とする請求項６に記載のエンジンシステムの制御装置。
【請求項８】
前記所定の変化率を、前記インテークマニホールドの圧力によって変化させることを特徴とする請求項６または７に記載のエンジンシステムの制御装置。
【請求項９】
前記第２サージ判定部は、前記コンプレッサの流量と前記コンプレッサの入口と出口の圧力比とによって特定されるコンプレッサマップ上の位置が、所定のサージラインを境界とするサージ領域に含まれる場合に前記第２サージ条件を満たすと判定することを特徴とする請求項１から８のいずれか１項に記載のエンジンシステムの制御装置。
【発明の詳細な説明】
【技術分野】
【０００１】
本発明は、過給機（ターボチャージャー）を備えるエンジンシステムにおいて、サージ音の発生を抑制するエンジンシステムの制御装置に関する。
【背景技術】
【０００２】
従来、エンジンシステムに過給機を採用することで、吸入空気の流動性を高め、加速性能や燃焼効率（燃費）の向上が図られている。また、過給機におけるタービンの排出ガス流路に、排出ガスの流路面積を変化させる可変ノズルを設けることで、排出ガスの流量が少ない場合であっても、高い過給圧を実現することができる。
【０００３】
ところで、過給運転時にアクセルペダルが急に緩められると、サージ音が発生する場合がある。かかるサージ音が発生する問題に対し、特許文献１〜７に示すように、サージ音の発生を抑制する処理を行う技術が公開されている。
【先行技術文献】
【特許文献】
【０００４】
【特許文献１】特開２０１１−２５６７４３号公報
【特許文献２】特開２００９−１５６１９７号公報
【特許文献３】特開２００９−２８１１４４号公報
【特許文献４】特開２００８−０９５５５７号公報
【特許文献５】特開２００９−１１４９９１号公報
【特許文献６】特開２００１−３４２８４０号公報
【特許文献７】国際公開第２０１１／００７４５５号
【発明の概要】
【発明が解決しようとする課題】
【０００５】
上述したように、サージ音の発生を抑制する様々な技術が検討されているが、サージ音の発生条件は、車両の運転状態やエンジンの運転状態に依存して変化するので、サージ音の発生を厳格に推定するのは難しい。そこで、サージ音の発生を抑制する処理の開始判定を緩めに設定して（マージンを設け）、サージ音の発生を確実に抑制することが考えられる。こうして、実際にはサージ音が生じる状況であるにも拘わらず、サージ音の発生を抑制する処理が行われないといった事態を回避することができる。
【０００６】
しかし、このようにマージンを設定することで、サージ音が生じない状況においてまで過剰にサージ音の発生を抑制する処理が実行され、コンプレッサを通過する吸入空気の流量が不要に多くなってしまい、排気管に配された触媒の温度低下を招くことになる。そうすると、ＤＰＦ（Diesel Particulate Filter）の再生機能が十分に発揮されないといった問題が生じ得る。
【０００７】
そこで本発明は、このような課題に鑑み、サージ音の発生を高精度に推定することで、サージ音の発生を効果的に抑制することが可能なエンジンシステムの制御装置を提供することを目的としている。
【課題を解決するための手段】
【０００８】
上記課題を解決するために、燃焼室を有するエンジンと、燃焼室に連通され燃焼室から排出される排出ガスにより回転するタービン、タービンと一体的に回転し吸入空気を加圧して燃焼室に送出するコンプレッサ、および、タービンの排出ガス流路に設けられ排出ガスの流路面積を変化させる可変ノズルを有する過給機と、を含む本発明のエンジンシステムの制御装置は、エンジンシステムが搭載される車両の運転状態を特定する運転状態特定部と、エンジンの運転状態を示すパラメータを所定値と比較してサージ音の発生条件となる第１サージ条件を満たすか否か判定するとともに、特定された車両の運転状態に基づいて所定値を変化させる第１サージ判定部と、コンプレッサを通過する吸入空気の流量と、コンプレッサの入口と出口の圧力比とに基づいて、サージ音の発生条件となる第２サージ条件を満たすか否か判定する第２サージ判定部と、第１サージ条件および第２サージ条件を満たすと、車両の運転状態およびエンジンの運転状態に基づいて、可変ノズルの開度を開方向に制御する可変ノズル制御部と、を備えることを特徴とする。
上記課題を解決するために、燃焼室を有するエンジンと、燃焼室に連通され燃焼室から排出される排出ガスにより回転するタービン、タービンと一体的に回転し吸入空気を加圧して燃焼室に送出するコンプレッサ、および、タービンの排出ガス流路に設けられ排出ガスの流路面積を変化させる可変ノズルを有する過給機と、を含む本発明の他のエンジンシステムの制御装置は、エンジンシステムが搭載される車両の、少なくとも、シフトチェンジ状態と、コースト状態とを含む運転状態を特定する運転状態特定部と、特定された車両の運転状態とエンジンの運転状態とに基づいて、サージ音の発生条件となる第１サージ条件を満たすか否か判定する第１サージ判定部と、コンプレッサを通過する吸入空気の流量と、コンプレッサの入口と出口の圧力比とに基づいて、サージ音の発生条件となる第２サージ条件を満たすか否か判定する第２サージ判定部と、第１サージ条件および第２サージ条件を満たすと、車両の運転状態およびエンジンの運転状態に基づいて、可変ノズルの開度を開方向に制御する可変ノズル制御部と、を備えることを特徴とする。
【０００９】
第１サージ判定部は、エンジンの運転状態を示すパラメータを所定値と比較して第１サージ条件を満たすか否か判定するとともに、車両の運転状態に基づいて所定値を変化させてもよい。
【００１０】
上記課題を解決するために、燃焼室を有するエンジンと、燃焼室に連通され燃焼室から排出される排出ガスにより回転するタービン、タービンと一体的に回転し吸入空気を加圧して燃焼室に送出するコンプレッサ、および、タービンの排出ガス流路に設けられ排出ガスの流路面積を変化させる可変ノズルを有する過給機と、を含む本発明の他のエンジンシステムの制御装置は、エンジンシステムが搭載される車両の運転状態を特定する運転状態特定部と、特定された車両の運転状態とエンジンの運転状態とに基づいて、サージ音の発生条件となる第１サージ条件を満たすか否か判定する第１サージ判定部と、コンプレッサを通過する吸入空気の流量と、コンプレッサの入口と出口の圧力比とに基づいて、サージ音の発生条件となる第２サージ条件を満たすか否か判定する第２サージ判定部と、第１サージ条件および第２サージ条件を満たすと、車両の運転状態およびエンジンの運転状態に基づいて、可変ノズルの開度を開方向に制御し、第１サージ条件および第２サージ条件を満たした後、第１サージ条件および第２サージ条件を満たさなくなると、満たさなくなった直後の所定時間において、第１サージ条件および第２サージ条件を満たすか否かの判定を行わない可変ノズル制御部と、を備えることを特徴とする。
【００１１】
車両の運転状態は、さらに、エンジンの空ぶかし状態を含むとしてもよい。
【００１２】
エンジンの運転状態を示すパラメータは、燃焼室に連通されたインテークマニホールドの圧力、および、燃焼室に燃料を噴射するインジェクタの燃料噴射量変化率を含み、第１サージ判定部は、インテークマニホールドの圧力が所定の圧力以上であり、かつ、インジェクタの燃料噴射量変化率が所定の変化率以上の場合に第１サージ条件を満たすと判定してもよい。
【００１３】
所定の圧力を、エンジンの回転数によって変化させてもよい。
【００１４】
所定の変化率を、インテークマニホールドの圧力によって変化させてもよい。
【００１５】
第２サージ判定部は、コンプレッサの流量とコンプレッサの入口と出口の圧力比とによって特定されるコンプレッサマップ上の位置が、所定のサージラインを境界とするサージ領域に含まれる場合に第２サージ条件を満たすと判定してもよい。
【発明の効果】
【００１７】
本発明によれば、サージ音の発生を高精度に推定することで、サージ音の発生を効果的に抑制することが可能となる。
【図面の簡単な説明】
【００１８】
【図１】エンジンシステムの概略的な構成を示した図である。
【図２】コンプレッサマップにおけるサージ領域を説明するための説明図である。
【図３】インマニ閾値および燃料閾値を説明するための説明図である。
【図４】第１サージ条件および第２サージ条件を満たすと判定された場合の可変ノズルの開度を説明するための説明図である。
【図５】スロットル弁の開度を説明するための説明図である。
【図６】エンジンシステムの効果を説明するためのコンプレッサマップである。
【図７】エンジンシステムの効果を説明するためのタイミングチャートである。
【図８】サージ判定のタイミングチャートである。
【図９】サージ音抑制方法の処理の流れを示したフローチャートである。
【発明を実施するための形態】
【００１９】
以下に添付図面を参照しながら、本発明の好適な実施形態について詳細に説明する。かかる実施形態に示す寸法、材料、その他具体的な数値等は、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２０】
（エンジンシステム１００）
図１は、エンジンシステム１００の概略的な構成を示した図である。ここでは、エンジン１０８として、筒内直噴４気筒ディーゼルエンジンを挙げて説明し、流体の流れを白抜き矢印で示している。エンジン１０８は、例えば、車両等に搭載されて車両に駆動力を供給する。エンジン１０８には、シリンダブロック１１０と、シリンダブロック１１０の上部に設けられたシリンダヘッド１１２と、シリンダブロック１１０内で摺動可能にコネクティングロッド１１４に支持されたピストン１１６とが設けられる。そして、シリンダブロック１１０と、シリンダヘッド１１２と、ピストン１１６の上面とによって囲まれた空間が燃焼室１１８として形成される。
【００２１】
シリンダヘッド１１２には、インテークマニホールド１２０およびエキゾーストマニホールド１２２が燃焼室１１８に連通するように設けられている。インテークマニホールド１２０と燃焼室１１８との間には、吸気弁１２４の先端が位置する。吸気弁１２４は、他端に吸気弁用カム１２６が当接されており、吸気弁用カム１２６が回転することにより、インテークマニホールド１２０と燃焼室１１８との間を開閉する。また、エキゾーストマニホールド１２２と燃焼室１１８との間には、排気弁１２８の先端が位置している。排気弁１２８は、他端に排気弁用カム１３０が当接されており、排気弁用カム１３０が回転することにより、エキゾーストマニホールド１２２と燃焼室１１８との間を開閉する。
【００２２】
シリンダヘッド１１２には、先端が燃焼室１１８内に位置するようにインジェクタ（燃料噴射弁）１３２が設けられ、インジェクタ１３２は、燃焼室１１８に燃料を噴射する。燃焼室１１８では、ピストン１１６によって圧縮加熱された吸入空気にインジェクタ１３２から噴射された燃料が接触することで自然発火が生じ、爆発の圧力によってピストン１１６が往復運動する。このようなピストン１１６の往復運動はコネクティングロッド１１４を通じてクランクシャフト１３４の回転運動に変化する。
【００２３】
また、エアクリーナ１３６を通って過給機１３８のコンプレッサ１３８ａで圧縮された吸入空気は、インタークーラ１４０で冷却された後、吸気管１４２からインテークマニホールド１２０に流入し、エンジン１０８の燃焼室１１８に供給される。スロットル弁１４４は、吸気管１４２に設けられ、吸気管１４２の流路幅（開度）を調整することで、吸入空気の流量を制御する。
【００２４】
また、エキゾーストマニホールド１２２には排気管１４６が連通しており、排気管１４６を流通する排出ガスは、排気管１４６に連結された過給機１３８のタービン１３８ｂを回転させ、触媒が収容された触媒ユニット１４８で浄化されて排出される。
【００２５】
また、過給機１３８では、タービン１３８ｂと一体的にコンプレッサ１３８ａが回転し、コンプレッサ１３８ａの回転により吸入空気が加圧され、エンジン１０８の燃焼室１１８に過給空気が送出される。かかる過給機１３８により、吸入空気の流動性を高め、加速性能や燃焼効率（燃費）の向上を図ることができる。
【００２６】
また、本実施形態では、過給機１３８として、可変ノズル式ターボ（ＶＮＴ：Variable Nozzle Turbo）を採用しており、タービン１３８ｂのハウジングの排出ガス流路に設けられた可変ノズル１３８ｃが、排出ガスの流路面積（開度）を変化させて過給圧を調整する。
【００２７】
ＨＰＥＧＲ（High Pressure EGR）流路１５０は、排気管１４６におけるタービン１３８ｂの上流と、吸気管１４２におけるスロットル弁１４４の下流とを連通させる。ＨＰＥＧＲ流路１５０には、ＨＰＥＧＲクーラ１５２が設けられており、ＨＰＥＧＲクーラ１５２で冷却された排出ガスが、インタークーラ１４０で冷却された吸入空気とともに燃焼室１１８に還流する。ＨＰＥＧＲバルブ１５４は、ＨＰＥＧＲ流路１５０に設けられ、ＨＰＥＧＲ流路１５０の流路幅を調整することで、燃焼室１１８に環流させる排出ガスの流量を制御する。このように、排出ガスを燃焼室１１８に環流させることで、酸素濃度を低下させて、燃料の燃焼温度を低減してＮＯｘ（窒素酸化物）等の生成を抑えることが可能となる。
【００２８】
ＬＰＥＧＲ（Low Pressure EGR）流路１５６は、排気管１４６における触媒ユニット１４８の下流と、吸気管１４２におけるエアクリーナ１３６の下流とを連通させる。ＬＰＥＧＲ流路１５６には、ＬＰＥＧＲクーラ１５８が設けられており、ＬＰＥＧＲクーラ１５８で冷却された排出ガスが、エアクリーナ１３６を通過した吸入空気とともに燃焼室１１８に還流する。ＬＰＥＧＲバルブ１６０は、ＬＰＥＧＲ流路１５６に設けられ、ＬＰＥＧＲ流路１５６の流路幅を調整することで、燃焼室１１８に環流させる排出ガスの流量を制御する。このように、ＨＰＥＧＲ流路１５０同様、排出ガスを燃焼室１１８に環流させることで、酸素濃度を低下させて、燃料の燃焼温度を低減してＮＯｘ等の生成を抑えることが可能となる。また、ＬＰＥＧＲ流路１５６は、ＨＰＥＧＲ流路１５０に比べ、応答の遅れを伴う場合があるものの、低温かつ大量の排出ガスを環流させることができる。
【００２９】
インマニ圧センサ１６２は、インテークマニホールド１２０の圧力（以下、単に「インマニ圧」という）を検出する。クランク角センサ１６４は、クランクシャフト１３４のクランク角を検出する。エアフロセンサ１６６は、エアクリーナ１３６を通過した吸入空気の流量を検出する。シフトポジションセンサ１６８は、エンジン１０８の出力が伝達されるトランスミッションのシフトポジション（前進ポジション（Ｄレンジ）、後進ポジション（Ｒレンジ）、ニュートラルポジション（Ｎレンジ）、パーキングポジション（Ｐレンジ））を検出する。車速センサ１７０は、車両の速度を検出する。駆動軸回転数センサ１７２は、車両の駆動軸の回転数を検出する。大気圧センサ１７４は、車外の大気圧を検出する。これら各センサは、ＥＣＵ（Engine Control Unit）１７６に接続されており、検出した値を示す信号をＥＣＵ１７６に出力する。
【００３０】
ＥＣＵ１７６は、中央処理装置（ＣＰＵ）、プログラム等が格納されたＲＯＭ、ワークエリアとしてのＲＡＭ等を含むマイクロコンピュータでなり、エンジンシステム１００全体を統括制御する制御装置として機能する。ＥＣＵ１７６には、インジェクタ１３２、可変ノズル１３８ｃ、スロットル弁１４４が接続されており、それぞれにＥＣＵ１７６からの指令信号が入力される。また、ＥＣＵ１７６は、信号取得部１８０、燃料制御部１８２、可変ノズル制御部１８４、スロットル制御部１８６、運転状態特定部１８８、第１サージ判定部１９０、第２サージ判定部１９２としても機能する。各機能部については、以下に詳述する。
【００３１】
信号取得部１８０は、インマニ圧センサ１６２、クランク角センサ１６４、エアフロセンサ１６６、シフトポジションセンサ１６８、車速センサ１７０、駆動軸回転数センサ１７２、大気圧センサ１７４が検出した検出値を示す信号を取得する。また、信号取得部１８０は、クランク角センサ１６４から取得したクランク角を示す信号に基づいてエンジン１０８の回転数を導出する。
【００３２】
燃料制御部１８２は、燃料噴射時期マップを参照し、クランク角に対応する所定の位相、例えば、圧縮行程の下死点以降の所定の角度で、アクセル開度（アクセルペダルの踏み込み量）に応じた量（期間）だけ燃料を噴射する。また、燃料制御部１８２は、単位時間あたりの燃料の噴射量の差分に基づいて、その変化率（燃料噴射量変化率）を導出する。かかる燃料噴射に伴い、吸気弁１２４は、吸気弁用カム１２６の回転に応じ、吸気行程において、ピストン１１６の上死点以降に開き、下死点以降で閉じる。排気弁１２８は、排気弁用カム１３０の回転に応じ、排気行程において、ピストン１１６の下死点以降に開き、上死点以降で閉じる。
【００３３】
可変ノズル制御部１８４は、可変ノズル１３８ｃの開度を調整し、排出ガスの流路面積を変化させることで、タービンホイールに導入される排出ガスの流速を制御する。かかる可変ノズル１３８ｃと可変ノズル制御部１８４の構成により、排気管１４６における排出ガスの流速に拘わらず、タービン１３８ｂおよびコンプレッサ１３８ａの回転速度を高めることができ、ひいては、コンプレッサ１３８ａの出口の圧力、すなわち、燃焼室１１８に導入される吸入空気の圧力（吸気圧）を高めることが可能となる。
【００３４】
スロットル制御部１８６は、スロットル弁１４４の開度を調整し、吸入空気の流量を制御する。ディーゼルエンジンでは、空燃比の調整が不要なので、スロットル制御部１８６は、通常、スロットル弁１４４を開弁状態に維持する。ただし、粒子状物質を燃焼してＤＰＦを再生するためや、エンジン１０８の始動直後におけるＨＰＥＧＲ流路１５０の流量を増やしてＮＯｘを低減するため、そのようなタイミングにおいて、スロットル制御部１８６は、排出ガスの温度を高めるべく、スロットル弁１４４をエンジン１０８の回転数に基づく開度に絞る。
【００３５】
図２は、コンプレッサマップにおけるサージ領域を説明するための説明図である。ここでは、横軸にコンプレッサ１３８ａを通過する吸入空気の流量（以下、単に「コンプレッサ１３８ａの流量」という）、縦軸にコンプレッサ１３８ａの入口と出口の圧力比（以下、単に「コンプレッサ１３８ａの圧力比」という）が示されている。上述したように、エンジンシステム１００においては、可変ノズル１３８ｃを絞ることで、排気管１４６における排出ガスの流速が低い場合であっても、コンプレッサ１３８ａの出口における圧力（入口と出口の圧力比）を高めることができる。しかし、可変ノズル１３８ｃが絞られたままアクセル開度を緩めた場合、図２に実線矢印で示したように、コンプレッサ１３８ａの圧力比が高い状態で、コンプレッサ１３８ａを通過する吸入空気の流量が著しく低下して、サージラインを境界とするコンプレッサマップ上のサージ領域（図２にハッチングで示す）に入ってしまう。すなわち、可変ノズル１３８ｃを絞って加速性能や燃焼効率を維持することのトレードオフとしてサージ音の問題が生じ易くなる。
【００３６】
また、上述したように、ＤＰＦの再生時やエンジン１０８の始動時においては、スロットル弁１４４が絞られる場合があり、コンプレッサ１３８ａを通過する吸入空気の流量はより低くなる。かかる状況下においては、コンプレッサマップ上のサージ領域に入り易く（サージラインを超え易く）なり、また、サージ領域から抜け出し難くなる。
【００３７】
ここで、コンプレッサ１３８ａの流量およびコンプレッサ１３８ａの圧力比によって特定されるコンプレッサマップ上の位置が、図２に示したサージ領域に含まれそうになったこと、または、含まれたことを認識して、サージ音の発生を抑制する処理を行うことが考えられる。しかし、サージ音の発生条件は、実際のところ、車両の運転状態やエンジンの運転状態に依存して変化するので、サージ音の発生を厳格に推定するのは難しい。そこで、サージ音の発生を抑制する処理の開始判定を緩めに設定して（マージンを設け）、サージ音の発生を確実に抑制することが考えられる。こうして、実際にはサージ音が生じる状況であるにも拘わらず、サージ音の発生を抑制する処理が行われないといった事態を回避することができる。しかし、このように設定することで、サージ音が生じない状況においてまで過剰にサージ音の発生を抑制する処理が実行され、コンプレッサを通過する吸入空気の流量が不要に多くなってしまい、排気管に配された触媒の温度低下を招くことになる。そうすると、ＤＰＦの再生機能が十分に発揮されないといった問題が生じ得る。
【００３８】
そこで、本実施形態では、（１）車両の現在の運転状態を特定し、車両の運転状態（以下、単に「車両運転状態」という）とエンジン１０８の運転状態（以下、単に「エンジン運転状態」という）とに基づいて、サージ音が発生する可能性が高いかどうか（第１サージ条件を満たすか否か）を判定するとともに、（２）コンプレッサ１３８ａの流量とコンプレッサ１３８ａの圧力比とに基づいて、サージ音が発生する可能性が高いかどうか（第２サージ条件を満たすか否か）を判定し、いずれにおいてもサージ音が発生する可能性が高いと判定された場合に、サージ音の発生を抑制する処理を行う。こうして、過給機１３８の特に可変ノズル１３８ｃによって加速性能や燃焼効率の向上を図りつつ、サージ音の発生を高精度に推定して、サージ音の発生を抑制することが可能となる。以下、サージ音の発生条件となる第１サージ条件および第２サージ条件の判定と、その後のサージ音の発生を抑制する処理について詳述する。
【００３９】
（第１サージ条件の判定）
運転状態特定部１８８は、相異なる複数の車両運転状態のうち現在の車両運転状態を特定する。ここでは、複数の車両運転状態として、それぞれに対応する車両運転条件（レーシング条件、シフトチェンジ条件、コースト条件、非ロックアップ時駆動軸接続条件）を満たした、レーシング状態、シフトチェンジ状態、コースト状態、非ロックアップ時駆動軸接続状態の４つの車両運転状態を含んでいる。
【００４０】
レーシング状態は、所謂、エンジン１０８の空ぶかしに相当し、例えば、トランスミッションのシフトポジションがニュートラルポジションに位置し、かつ、車両が停止している（車速≒０）といったレーシング条件を満たしている状態を言う。運転状態特定部１８８は、シフトポジションセンサ１６８および車速センサ１７０の出力に基づき、車両運転状態がレーシング状態であるか否か判定する。
【００４１】
また、シフトチェンジ状態は、シフトポジションを変更している状態であり、例えば、トランスミッションのシフトポジションがニュートラルポジションに位置し、かつ、車両が走行している（車速≠０）といったシフトチェンジ条件を満たしている状態を言う。運転状態特定部１８８は、シフトポジションセンサ１６８および車速センサ１７０の出力に基づき、車両運転状態がシフトチェンジ状態であるか否か判定する。
【００４２】
また、コースト状態は、所謂、慣性走行に相当し、例えば、車両がＣＶＴ（Continuously Variable Transmission）等を含むＡＴ（Automatic Transmission）車であれば、ロックアップクラッチがロックアップしているか、車両がＭＴ（Manual Transmission）車であれば、トランスミッションのシフトポジションがニュートラルポジション以外（前進ポジション、後進ポジション）に位置しているといったコースト条件を満たしている状態を言う。運転状態特定部１８８は、ＥＣＵ１７６が保持している車両情報（ＡＴ車であるかＭＴ車であるか）と、シフトポジションセンサ１６８の出力とに基づき、車両運転状態がコースト状態であるか否か判定する。
【００４３】
また、非ロックアップ時駆動軸接続状態は、所謂、ストール状態（ＡＴ車でブレーキを踏んだままアクセルを踏み込んで、エンジン回転数が高くなっている状態）を想定したものであり、例えば、車両がＡＴ車であり、かつ、ロックアップクラッチがロックアップしておらず、トランスミッションのシフトポジションがニュートラルポジション以外に位置しているといった非ロックアップ時駆動軸接続条件を満たしている状態を言う。運転状態特定部１８８は、ＥＣＵ１７６が保持している車両情報（ＡＴ車であるかＭＴ車であるか）と、シフトポジションセンサ１６８の出力と、信号取得部１８０で導出したエンジン１０８の回転数と、駆動軸回転数センサ１７２の出力とに基づき、車両の運転状態が非ロックアップ時駆動軸接続状態であるか否か判定する。なお、ロックアップクラッチがロックアップしているか否かは、エンジン１０８の回転数と、駆動軸回転数センサ１７２で取得した駆動軸回転数（ロックアップクラッチよりも下流側の駆動軸の回転数）との差分が０あるいは所定の回転数以下であるか否かによって判定する。また、非ロックアップ時駆動軸接続状態であるか否かの判定には、上記の条件に加え、車速センサ１７０で取得した車速やブレーキの踏み込み状態を勘案してもよい。すなわち、上記の条件に加え、車速が０であり、ブレーキが踏み込まれているときに非ロックアップ時駆動軸接続状態と判定するようにしてもよい。
【００４４】
運転状態特定部１８８は、上記の車両運転条件（レーシング条件、シフトチェンジ条件、コースト条件、非ロックアップ時駆動軸接続条件）を満たした場合に、現在の車両運転状態が、その車両運転条件に対応する車両運転状態であると特定し、満たしていない場合、他の車両運転状態であると特定する。
【００４５】
第１サージ判定部１９０は、運転状態特定部１８８が特定した車両運転状態とエンジン運転状態とに基づいて、サージ音の発生条件（発生する可能性が高い）となる第１サージ条件を満たすか否か判定する。本実施形態では、エンジン運転状態を示すパラメータとして、エンジン１０８の負荷を示すインマニ圧、および、アクセル操作の変化度合いを示す燃料噴射量変化率（アクセルを急に緩めると高くなる）を含んでいる。したがって、第１サージ判定部１９０は、運転状態を示すパラメータを所定値と比較して、具体的に、インマニ圧や燃料噴射量変化率を、車両運転状態それぞれに対応した閾値（インマニ閾値、燃料閾値）と比較し、インマニ圧がインマニ閾値（所定の圧力）以上であり、絶対値で表される燃料噴射量変化率が燃料閾値（所定の変化率：より具体的には、燃料噴射量が減少方向である所定の変化率）以上であれば、第１サージ条件を満たすと判定する。
【００４６】
ここで、サージ音が生じる条件は、車両運転状態毎に変化する。そこで、インマニ閾値や燃料閾値を、車両運転状態に応じて異なる値に設定するようにした。また、これに加え、インマニ閾値は、車両運転状態によっては、エンジン回転数に応じて異ならせるようにし、燃料閾値は、インマニ圧に応じて異ならせるようにした。
【００４７】
図３は、インマニ閾値および燃料閾値を説明するための説明図である。図３（ａ）では、横軸にエンジン１０８の回転数、縦軸にインマニ閾値、図３（ｂ）では、横軸にインマニ圧、縦軸に燃料閾値が示され、レーシング状態、シフトチェンジ状態、コースト状態、非ロックアップ時駆動軸接続状態が、それぞれ、実線、破線、一点鎖線、二点鎖線で示されている。
【００４８】
図３（ａ）に示すように、車両運転状態それぞれに対応してインマニ閾値が設けられている。このうち、シフトチェンジ状態、および、コースト状態に関しては、インマニ閾値をエンジン１０８の回転数に応じて変化させている。シフトチェンジ状態およびコースト状態は走行中であり、停止中を想定しているレーシング状態や非ロックアップ時駆動軸接続状態に比し、後述するサージ音の発生を抑制する処理により排出ガスへの影響が生じ易い可能性がある。また、走行中はロードノイズ等が発生するため、停止中に比してサージ音が聞こえ難い。そこで、図３（ａ）に示すように、シフトチェンジ状態およびコースト状態のインマニ閾値を、レーシング状態や非ロックアップ時駆動軸接続状態のインマニ閾値に比して高く設定することで、第１サージ条件を満たし難いようにし、排出ガスに影響を与えないようにした。また、コースト状態は、シフトチェンジ状態に比べ、アクセルを緩めたときの単位時間当たりのコンプレッサ通過流量の減少が遅いため、サージ領域に入り難い。そのため、コースト状態のインマニ閾値はシフトチェンジ状態のそれよりも高く設定した。
【００４９】
また、図３（ｂ）に示すように、車両運転状態それぞれに対応して燃料閾値が設けられ、その車両運転状態それぞれの燃料閾値を、インマニ圧に応じて変化させている。具体的には、サージ音の発生が最も懸念されるシフトチェンジ状態（特に加速時のシフトチェンジ状態）の燃料閾値を他の車両運転状態の燃料閾値よりも小さくし、第１サージ条件を満たし易いようにした。
【００５０】
したがって、第１サージ判定部１９０は、現在の車両運転状態およびエンジン１０８の回転数に基づき、図３（ａ）からインマニ閾値を抽出するとともに、現在の車両運転状態およびインマニ圧に基づき、図３（ｂ）から燃料閾値を抽出し、現在のインマニ圧が、抽出したインマニ閾値以上であり、かつ、現在の燃料噴射量変化率が、抽出した燃料閾値以上であれば、第１サージ条件を満たすと判定する。かかる構成により、排出ガス等、他の性能への影響を低減しつつ、第１サージ条件を満たすか否か適切に判定することが可能となる。
【００５１】
また、第１サージ条件を満たすか否かの判定においてヒステリシス特性を設けることもできる。例えば、第１サージ判定部１９０は、インマニ圧がインマニ閾値以上であり、燃料噴射量変化率が燃料閾値以上であれば、第１サージ条件を満たすと判定し、インマニ圧または燃料噴射量変化率がそれぞれの閾値より低下すれば、第１サージ条件を満たさなくなったと判定する。しかし、インマニ圧がインマニ閾値未満となったり、または、燃料噴射量変化率が燃料閾値未満となっても、直ちに第１サージ条件を満たさないと判定せず、インマニ圧が、インマニ閾値より小さな所定の閾値となって、または、燃料噴射量変化率が燃料閾値より小さな所定の閾値となって、はじめて第１サージ条件を満たさないと判定する。こうして、インマニ閾値や燃料閾値近傍でのチャタリングを防止することができる。
【００５２】
（第２サージ条件の判定）
第２サージ判定部１９２は、図２に示したコンプレッサマップを参照し、コンプレッサ１３８ａの流量とコンプレッサ１３８ａの圧力比とに基づいて、サージ音の発生条件となる第２サージ条件を満たすか否か、すなわち、コンプレッサ１３８ａの流量とコンプレッサ１３８ａの圧力比とによって特定されるコンプレッサマップ上の位置が、図２における所定のサージラインを境界とするサージ領域に含まれるか否か判定する。
【００５３】
まず、第２サージ判定部１９２は、コンプレッサ１３８ａの流量およびコンプレッサ１３８ａの圧力比を導出する。このうち、コンプレッサ１３８ａの流量は、エアフロセンサ１６６で検出された吸気総量に、ＬＰＥＧＲ流路１５６の流量を加算して導出される。ここで、ＬＰＥＧＲ流路１５６の流量は、以下のようにして導出される。すなわち、インテークマニホールド１２０の構造と吸気効率とからインテークマニホールド１２０を通過する流量が決定され、かかるインテークマニホールド１２０を通過する流量からエアフロセンサ１６６で検出された吸気総量を減算すると、ＨＰＥＧＲ流路１５０およびＬＰＥＧＲ流路１５６の総流量が求まる。かかるＨＰＥＧＲ流路１５０およびＬＰＥＧＲ流路１５６の総流量にＬＰＥＧＲ流路１５６の流量比率を乗算することで、ＬＰＥＧＲ流路１５６の流量を導出できる。
【００５４】
また、コンプレッサ１３８ａの圧力比は、コンプレッサ１３８ａの出口における圧力をコンプレッサ１３８ａの入口における圧力で除算することで求められる。かかるコンプレッサ１３８ａの出口における圧力は、インマニ圧センサ１６２で検出されたインマニ圧にスロットル弁１４４の圧損を加えた値となる。ここで、スロットル弁１４４の圧損は、スロットル弁１４４の開度、および、コンプレッサ１３８ａの流量をパラメータとする予め準備されたマップから導出される。また、コンプレッサ１３８ａの入口における圧力は、大気圧センサ１７４で検出された大気圧にエアクリーナ１３６の圧損を加えた値となる。ここで、エアクリーナ１３６の圧損は、エアフロセンサ１６６で検出された吸気総量をパラメータとする予め準備されたマップから導出される。
【００５５】
このように、第１サージ判定部１９０が、車両運転状態とエンジン運転状態とに基づいて、サージ音が発生する可能性が高いかどうかを判定することに加え、第２サージ判定部１９２が、図２におけるサージ領域に入っているか否か判定することで、サージ音の発生を高精度に推定することが可能となる。
【００５６】
可変ノズル制御部１８４は、第１サージ判定部１９０が第１サージ条件を満たすと判定し、かつ、第２サージ判定部１９２が第２サージ条件を満たすと判定すると、現在の車両運転状態およびエンジン１０８の回転数に基づいて、可変ノズル１３８ｃの開度を開方向（開度を高める方向）に制御する。
【００５７】
上述したように、可変ノズル制御部１８４は、コンプレッサ１３８ａの出口における圧力を高めるべく（加速性能を高めるべく）、通常、可変ノズル１３８ｃを絞っていることが多い。ここで、第１サージ判定部１９０が第１サージ条件を満たし、かつ、第２サージ判定部１９２が第２サージ条件を満たすと判定すると、可変ノズル制御部１８４は、サージ音の発生を回避すべく、可変ノズル１３８ｃの開度を高める。
【００５８】
図４は、第１サージ条件および第２サージ条件を満たすと判定された場合の可変ノズル１３８ｃの開度を説明するための説明図である。具体的に、例えば、現在の車両運転状態が、シフトチェンジ状態またはコースト状態であった場合、図４（ａ）に破線で示されているように、エンジン１０８の回転数に基づいて、図４（ａ）中に白抜き矢印で示したように、可変ノズル１３８ｃを閉弁状態からその開度を高める。また、現在の車両運転状態が、レーシング状態または非ロックアップ時駆動軸接続状態であった場合、図４（ｂ）に破線で示したように、エンジン１０８の回転数に拘わらず、図４（ｂ）中に白抜き矢印で示したように、可変ノズル１３８ｃを閉弁状態からその開度を高める。また、レーシング状態または非ロックアップ時駆動軸接続状態のときの方が、シフトチェンジ状態およびコースト状態のときよりも可変ノズル１３８ｃの開度が高く設定される。これは、走行中であるシフトチェンジ状態およびコースト状態では、ドライバビリティの低下を抑制するため、可変ノズル１３８ｃの開度に制限を設けているのに対し、停止中を想定しているレーシング状態または非ロックアップ時駆動軸接続状態ではドライバビリティの低下を気にする必要はないので、可変ノズル１３８ｃの開度に制限を設けていない（全開とする）からである。
【００５９】
また、図４（ａ）、図４（ｂ）に示したように、外部環境によって、例えば、通常環境と、通常環境より空気密度および気温が低い高地環境とで、可変ノズル１３８ｃの開度を異なる値に設定した。具体的には、高地環境における可変ノズル１３８ｃの開度を、通常環境におけるそれよりも大きくした。これは、高地では空気密度が低くタービン回転数が上昇し易いこと、また、低温では空気密度が低く筒内圧が上がり易いことを考慮したものである。なお、高地環境であるか否かは、ＥＣＵ１７６によって例えば大気圧センサ１７４の出力に基づいて判定される。また、高地環境であるか否かは、ＥＣＵ１７６によって例えば吸気温センサ（図示せず）の出力に基づいて判定される。
【００６０】
また、可変ノズル制御部１８４は、第１サージ条件および第２サージ条件を満たすと判定していた状態から、インマニ圧や燃料噴射量変化率の低下により、いずれかのサージ条件を満たさなくなったと判定した場合、可変ノズル１３８ｃの開度を閉方向に制御し、第１サージ条件および第２サージ条件を満たすと判定する直前の開度に戻す。このとき、開度を一度に変化させず、所定の変化率（傾斜）を伴った漸減曲線によって徐々に変化させてもよい。かかる漸減曲線としては１次または複数次の曲線を用いることができる。かかる構成により、通常の制御にスムーズに移行することができ、可変ノズル１３８ｃの開度が急変することによるサージ音の発生を効果的に抑制することが可能となる。
【００６１】
スロットル制御部１８６は、第１サージ条件および第２サージ条件を満たすと、エンジン１０８の回転数に基づいて、燃焼室１１８に連通された吸気管１４２の流路幅を調整するスロットル弁１４４の開度を開方向に制御する。
【００６２】
上述したように、スロットル制御部１８６は、粒子状物質を燃焼してＤＰＦを再生するためや、ＨＰＥＧＲ流路１５０の流量を増やしてＮＯｘを低減するため、スロットル弁１４４をエンジン１０８の回転数に応じた開度に調整することがある。このような状況下で、第１サージ判定部１９０が第１サージ条件を満たし、かつ、第２サージ判定部１９２が第２サージ条件を満たすと判定すると、サージ音の発生を回避すべく、スロットル弁１４４を開方向に制御する。
【００６３】
図５は、スロットル弁１４４の開度を説明するための説明図である。具体的に、例えば、ＤＰＦの再生やＥＧＲの増量のために、図５に破線で示したようにスロットル弁１４４が比較的閉弁状態にあったとしても、第１サージ条件および第２サージ条件を満たすと判定されると、エンジン１０８の回転数に基づいて、図５中に白抜き矢印で示したように、スロットル弁１４４の開度を高める。このとき、図４同様、外部環境によって、例えば、通常環境と、高地環境とではスロットル弁１４４の開度が異なる値に設定される。具体的には、高地環境におけるスロットル弁１４４の開度を、通常環境におけるそれよりも大きくした。これは、高地では空気密度が低いことを考慮したものである。
【００６４】
また、スロットル制御部１８６は、第１サージ条件および第２サージ条件を満たすと判定していた状態から、インマニ圧や燃料噴射量変化率の低下により、いずれかのサージ条件を満たさなくなったと判定した場合、スロットル弁１４４の開度を閉方向に制御し、第１サージ条件および第２サージ条件を満たすと判定する直前の開度に戻す。このとき、可変ノズル１３８ｃ同様、スロットル弁１４４も開度を一度に変化させず、所定の変化率（傾斜）を伴った漸減曲線によって徐々に変化させてもよい。
【００６５】
以上、説明したように、本実施形態のエンジンシステム１００によれば、サージ音の発生を高精度に推定し、サージ音の発生を効果的に抑制することが可能となる。以下にその具体的な効果を説明する。
【００６６】
図６は、エンジンシステム１００の効果を説明するためのコンプレッサマップであり、図７は、エンジンシステム１００の効果を説明するためのタイミングチャートである。コンプレッサマップは、横軸にコンプレッサ１３８ａの流量、縦軸にコンプレッサ１３８ａの圧力比が示されている。
【００６７】
例えば、エンジンシステム１００において、図６において破線の矢印で示すように、可変ノズル１３８ｃが絞られたままアクセル開度を緩めた場合、コンプレッサ１３８ａの圧力比が高い状態で、コンプレッサ１３８ａを通過する吸入空気の流量が著しく低下して、コンプレッサマップ上のサージ領域に入ってしまう。この場合、第２サージ条件を満たすので、可変ノズル制御部１８４は、現在の車両運転状態およびエンジン１０８の回転数に基づいて、可変ノズル１３８ｃの開度を開方向（開度を高める方向）に制御し、スロットル制御部１８６は、エンジン１０８の回転数に基づいて、スロットル弁１４４の開度を開方向に制御する。
【００６８】
しかし、第２サージ条件のみでは、車両の運転状態やエンジン１０８の運転状態に依存して変化する実際のサージラインに対し、マージンを持たせたサージラインによってサージ音の発生を推定するため、図６に一点鎖線の矢印で示したように、サージ音の発生を抑制する処理を早期に開始することとで、過保護となってしまう。しかし、本実施形態では、第２サージ条件に加え、第１サージ条件も用いるので、図６に実線の矢印で示すように、車両の運転状態やエンジン１０８の運転状態に依存して変化する実際のサージラインに近くなってから、適切に、サージ音の発生を抑制する処理を開始することができる。
【００６９】
このように、第１サージ条件および第２サージ条件をいずれも満たすか否か判定することで、図７（ａ）に破線で示すように、従来、マージンを持たせて、サージ音の発生を抑制する処理が早期に開始されていたところ、本実施形態では、図７（ａ）に実線で示すように、適切なタイミングでサージ音の発生を抑制する処理を開始できる。したがって、図７（ｂ）に示すように、スロットル弁１４４の開度を開方向に制御するタイミングも適切なタイミングで行われるようになり、図７（ｃ）に白抜き矢印で示すように、触媒の温度低下を抑制することが可能となる。
【００７０】
（除外条件）
ところで、上述したように、第２サージ判定部１９２は、第２サージ条件の判定のため、コンプレッサ１３８ａの圧力比を導出し、コンプレッサ１３８ａの圧力比を導出するため、コンプレッサ１３８ａの出口における圧力を導出している。また、コンプレッサ１３８ａの出口における圧力は、インマニ圧センサ１６２で検出されたインマニ圧にスロットル弁１４４の圧損を加えた値となる。すなわち、第２サージ判定部１９２は、インマニ圧に基づいて第２サージ条件の判定を行っている。
【００７１】
図８は、サージ判定のタイミングチャートである。図８（ａ）の時点ｔにおいて、第１サージ条件および第２サージ条件のいずれかが満たされなくなると、図８（ｂ）に示すように、スロットル制御部１８６は、エンジン１０８の回転数に基づいて、スロットル弁１４４の開度を閉方向に制御する。かかるスロットル弁１４４の開度の減少に伴い、図８（ｃ）に示すように、インマニ圧も低下する。しかし、実際は、図８（ｃ）に示すように、スロットル弁１４４の開度の変化に対し遅れを伴う。したがって、実際のスロットル弁１４４の開度の低下に比べ、インマニ圧が高めに導出されてしまう。このように、インマニ圧が本来の値より高いと判定されると、それに伴い、コンプレッサ１３８ａの出口における圧力が高くなり、ひいては、コンプレッサ１３８ａの圧力比が高くなってしまう。
【００７２】
このように、コンプレッサ１３８ａの圧力比が急激に高くなると、図６を参照して理解できるように、本来サージ領域に位置すべきではない状態で、サージ音が発生すると判定されてしまう。この場合、スロットル制御部１８６は、スロットル弁１４４の不要な開閉を実行することとなる。
【００７３】
そこで、本実施形態においては、可変ノズル制御部１８４が、第１サージ条件および第２サージ条件を満たした後、第１サージ条件および第２サージ条件を満たさなくなると、満たさなくなった直後の所定時間（例えば、２秒）において、第１サージ条件および第２サージ条件を満たすか否かの判定を行わない。こうすることで、サージ音が発生すると推定するべきではない状態で、誤って、サージ音が発生すると判定してしまう事象を回避することが可能となる。
【００７４】
（サージ音抑制方法）
以下に、エンジンシステム１００を用いたサージ音抑制方法の具体的な処理を説明する。
【００７５】
図９は、サージ音抑制方法の処理の流れを示したフローチャートである。ここでは、所定の時間間隔毎に生じる割込処理によってサージ音抑制方法が繰り返し遂行される。
【００７６】
まず、信号取得部１８０は、インマニ圧センサ１６２、クランク角センサ１６４、シフトポジションセンサ１６８、車速センサ１７０、駆動軸回転数センサ１７２が検出した検出値を示す信号を取得し、エンジン１０８の回転数を導出する（Ｓ２００）。続いて、燃料制御部１８２は、噴射した燃料に基づいて燃料噴射量変化率を導出する（Ｓ２０２）。次に、運転状態特定部１８８は、複数の車両運転条件（レーシング条件、シフトチェンジ条件、コースト条件、非ロックアップ時駆動軸接続条件）のいずれかを満たすか否か判定し、車両運転条件を満たした場合、その車両運転条件に対応する車両運転状態（レーシング状態、シフトチェンジ状態、コースト状態、非ロックアップ時駆動軸接続状態）を現在の車両運転状態として特定する（Ｓ２０４）。
【００７７】
第１サージ判定部１９０は、車両運転状態として、所定の車両運転状態（レーシング状態、シフトチェンジ状態、コースト状態、非ロックアップ時駆動軸接続状態）が特定されたか否か判定し（Ｓ２０６）、所定の車両運転状態が特定されていなければ、すなわち、他の車両運転状態と特定されていれば（Ｓ２０６におけるＮＯ）、当該サージ音抑制方法を終了する。また、所定の車両運転状態が特定されていれば（Ｓ２０６におけるＹＥＳ）、第１サージ判定部１９０は、特定された車両運転状態とエンジン運転状態（インマニ圧、燃料噴射量変化率）とに基づいて第１サージ条件を満たすか否か判定する（Ｓ２０８）。
【００７８】
ここで、続いて、第１サージ条件を満たしていると判定されていなければ（Ｓ２０８におけるＮＯ）、当該サージ音抑制方法を終了する。また、第１サージ条件を満たしていると判定されていれば（Ｓ２０８におけるＹＥＳ）、第２サージ判定部１９２は、コンプレッサ１３８ａの流量とコンプレッサ１３８ａの圧力比とに基づいて、第２サージ条件を満たすか否か判定する（Ｓ２１０）。
【００７９】
ここで、第２サージ条件を満たしていると判定されていなければ（Ｓ２１０におけるＮＯ）、当該サージ音抑制方法を終了する。また、第２サージ条件を満たしていると判定されていれば（Ｓ２１０におけるＹＥＳ）、可変ノズル制御部１８４は、除外条件を満たすか否か、すなわち、現在が、第１サージ条件および第２サージ条件のいずれかを満たさなくなってから所定時間内であるか否か判定する（Ｓ２１２）。
【００８０】
ここで、除外条件を満たしていると判定されれば（Ｓ２１２におけるＹＥＳ）、当該サージ音抑制方法を終了する。また、除外条件を満たしていないと判定されれば（Ｓ２１２におけるＮＯ）、可変ノズル制御部１８４は、車両運転状態およびエンジン１０８の回転数に基づいて、可変ノズル１３８ｃの開度を開方向に制御し（Ｓ２１４）、スロットル制御部１８６は、エンジン１０８の回転数に基づいて、スロットル弁１４４の開度を開方向に制御し（Ｓ２１６）、当該サージ音抑制方法を終了する。
【００８１】
以上、説明したように、本実施形態におけるエンジンシステム１００によれば、排出ガスやドライバビリティといった他の性能への影響を抑制しつつ、第１サージ条件と第２サージ条件といった複数の条件判定によってサージ音の発生を高精度に推定することで、サージ音の発生を効果的に抑制することが可能となる。
【００８２】
また、サージ音の発生を抑制すべく、可変ノズル１３８ｃの開度やスロットル弁１４４の開度を高める場合であっても、車両運転状態やエンジン１０８の回転数に基づいて、その開度を適切に設定しているので、サージ音発生の抑制とともに、加速性能や燃焼効率を維持したり、排出ガスの温度を維持することが可能となる。
【００８３】
また、本実施形態では、別途、コンプレッサ１３８ａ通過後の圧力を逃がす機構等のハードウェアの追加を要さず、既存の可変ノズル１３８ｃやスロットル弁１４４を利用してサージ音の発生を抑制しているので、機構の重量、占有体積、費用の他、設計変更に要する費用の増大を回避することが可能となる。
【００８４】
また、コンピュータをエンジンシステム１００の制御装置として機能させるプログラム、および、当該プログラムを記録したコンピュータで読み取り可能なフレキシブルディスク、光磁気ディスク、ＲＯＭ、ＣＤ、ＤＶＤ、ＢＤ等の記憶媒体も提供される。ここで、プログラムは、任意の言語や記述方法にて記述されたデータ処理手段をいう。
【００８５】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００８６】
例えば、上述した実施形態においては、エンジン１０８として、ディーゼルエンジンを例に挙げて説明したが、かかる場合に限らず、アクセル操作の変化度合いを、燃料噴射量変化率に代えて、スロットル弁１４４の開度変化率等とすることで、当然、ガソリンエンジンにも適応することができる。
【００８７】
なお、本明細書のサージ音抑制方法の各工程は、必ずしもフローチャートとして記載された順序に沿って時系列に処理する必要はなく、並列的あるいはサブルーチンによる処理を含んでもよい。
【産業上の利用可能性】
【００８８】
本発明は、過給機を備えるエンジンシステムにおいて、サージ音の発生を抑制するエンジンシステムの制御装置に利用できる。
【符号の説明】
【００８９】
１００  エンジンシステム
１１８  燃焼室
１２０  インテークマニホールド
１３２  インジェクタ
１３８  過給機
１３８ａ  コンプレッサ
１３８ｂ  タービン
１３８ｃ  可変ノズル
１４４  スロットル弁
１６２  インマニ圧センサ
１６４  クランク角センサ
１８４  可変ノズル制御部
１８６  スロットル制御部
１８８  運転状態特定部
１９０  第１サージ判定部
１９２  第２サージ判定部
【図１】
0006487733.tif 000002
【図２】
0006487733.tif 000003
【図３】
0006487733.tif 000004
【図４】
0006487733.tif 000005
【図５】
0006487733.tif 000006
【図６】
0006487733.tif 000007
【図７】
0006487733.tif 000008
【図８】
0006487733.tif 000009
【図９】
0006487733.tif 000010